(57)【要約】【課題】装置の運用を停止させることなく、個々のＬＥＤの輝度特性のばらつきによる表示画面の見にくさを補償することが可能な技術を提供することを目的とする。【解決手段】ＬＥＤ表示装置１００は、ＬＥＤ表示部１０とは別途に設けられるＬＥＤ２２を含むＬＥＤエージング表示部２１と、ＬＥＤ１の点灯時間と対応させて各色ごとにＬＥＤ２２の輝度低下率を測定する輝度測定部９と、各色ごとに輝度測定部９で測定された輝度低下率を記憶する輝度低下率記憶部１１とを有するＬＥＤエージング部２０と、点灯時間記憶部６に記憶された各色ごとのＬＥＤ１の累積点灯時間と輝度低下率記憶部１１に記憶された各色ごとの輝度低下率とに基づいて各色ごとにＬＥＤ１の輝度を補正するための補正係数を演算する補正係数演算部１２と、補正係数演算部１２で演算された補正係数に基づいて各色ごとにＬＥＤ１の輝度を補正する輝度補正回路４とを備えている。【選択図】図１
2016218238.tif 000002
【特許請求の範囲】
【請求項１】
画像を表示するＬＥＤ表示部を有するＬＥＤ表示ユニットを備え、前記ＬＥＤ表示部は各色ごとに同じ特性を持つＬＥＤ組よりなる複数の第１のＬＥＤを有するＬＥＤ表示装置であって、
前記ＬＥＤ表示部全体として各色ごとに前記第１のＬＥＤの累積点灯時間を記憶する点灯時間記憶部と、
各色ごとに前記第１のＬＥＤと同じ特性を持つＬＥＤ組よりなり前記ＬＥＤ表示部とは別途に設けられる第２のＬＥＤを含むＬＥＤエージング表示部と、前記第１のＬＥＤの点灯時間と対応させて各色ごとに前記第２のＬＥＤの輝度低下率を測定する輝度測定部と、各色ごとに前記輝度測定部で測定された輝度低下率を記憶する輝度低下率記憶部とを有するＬＥＤエージング部と、
前記点灯時間記憶部に記憶された各色ごとの前記第１のＬＥＤの累積点灯時間と、前記輝度低下率記憶部に記憶された各色ごとの前記輝度低下率とに基づいて、各色ごとに前記第１のＬＥＤの輝度を補正するための補正係数を演算する補正係数演算部と、
前記補正係数演算部で演算された前記補正係数に基づいて各色ごとに前記第１のＬＥＤの輝度を補正する輝度補正部と、
を備える、ＬＥＤ表示装置。
【請求項２】
前記ＬＥＤエージング部は、前記第２のＬＥＤを駆動する駆動部と、前記駆動部に供給される駆動データを生成する駆動データ生成部とをさらに備える、請求項１記載のＬＥＤ表示装置。
【請求項３】
前記補正係数演算部は、前記点灯時間記憶部に記憶された前記累積点灯時間のうち最も累積点灯時間の長い色の輝度低下率に基づいて前記補正係数を演算する、請求項１記載のＬＥＤ表示装置。
【請求項４】
点灯開始時における前記第１のＬＥＤの輝度は初期値に設定され、
前記輝度補正部は、前記第１のＬＥＤの輝度が前記初期値になるように当該第１のＬＥＤの輝度を補正する、請求項１記載のＬＥＤ表示装置。
【請求項５】
前記駆動データ生成部は、複数の点灯時間となるように複数のデューティ比を有する駆動データを生成し、
前記第２のＬＥＤは、複数のデューティ比を有する前記駆動データで駆動される、請求項２記載のＬＥＤ表示装置。
【請求項６】
請求項１から請求項５のいずれか１つに記載のＬＥＤ表示装置を複数備え、前記複数のＬＥＤ表示装置の前記ＬＥＤ表示部を組み合わせて一の画面を構成する、映像表示装置。
【発明の詳細な説明】
【技術分野】
【０００１】
本発明は、複数のＬＥＤをマトリクス状に配置し、個々のＬＥＤに対する点滅制御によって映像情報を表示するＬＥＤ表示装置および映像表示装置に関し、特にＬＥＤの輝度制御技術に関するものである。
【背景技術】
【０００２】
ＬＥＤ（発光ダイオード）を用いて構成されるＬＥＤ表示装置は、ＬＥＤの技術発展と低コスト化によって屋外および屋内の広告表示等に多く使用されている。これらのＬＥＤ表示装置は、これまで自然画およびアニメーションの動画像表示が主であったが、屋内用途においては画素ピッチの狭ピッチ化に伴い視認距離が短くなることで、会議室および監視用途などパソコンの画像表示にも使用されている。特に監視用途においては静止画に近いパソコン画像を表示することが多くなっている。しかし、ＬＥＤは点灯時間が長くなるにしたがって輝度が低下するため、画像の内容によって各ＬＥＤの輝度低下率が異なり結果的に画素毎に輝度ばらつきおよび色ばらつきが発生する。
【０００３】
これらの輝度ばらつきおよび色ばらつきを低減するために、ＬＥＤの輝度を検出し、輝度データを補正する方法、またはＬＥＤの表示時間を積算し、積算時間に応じてすでに測定された輝度補正係数を基に輝度を補正する方法が提案されている（例えば、特許文献１，２参照）。
【先行技術文献】
【特許文献】
【０００４】
【特許文献１】特開平１１−１５４３７号公報
【特許文献２】特開２００６−３３０１５８号公報
【発明の概要】
【発明が解決しようとする課題】
【０００５】
ＬＥＤの点灯時間の違いによって生じる輝度ばらつきおよび色ばらつきについては、寿命試験などによってＬＥＤの輝度低下率をある程度予測することは可能であるが、ＬＥＤの製造ロットの違いによる特性の違いを予測することは難しい。また、実際のＬＥＤディスプレイの輝度を検出することで補正の精度を向上させることができるが、輝度測定のための画像を表示させる必要がある。そのため、２４時間稼働のシステムにおいては運用を停止させる必要が生じてしまうという問題があった。結果的に補正の精度が向上せず輝度ばらつきおよび色ばらつきが残存し、ＬＥＤ表示部の画質が低下するとともに、これを解決するために新しいＬＥＤモジュールに交換する必要が生じるという問題があった。
【０００６】
そこで、本発明は、装置の運用を停止させることなく、個々のＬＥＤの輝度特性のばらつきによる表示画面の見にくさを補償することが可能な技術を提供することを目的とする。
【課題を解決するための手段】
【０００７】
本発明に係るＬＥＤ表示装置は、画像を表示するＬＥＤ表示部を有するＬＥＤ表示ユニットを備え、前記ＬＥＤ表示部は各色ごとに同じ特性を持つＬＥＤ組よりなる複数の第１のＬＥＤを有するＬＥＤ表示装置であって、前記ＬＥＤ表示部全体として各色ごとに前記第１のＬＥＤの累積点灯時間を記憶する点灯時間記憶部と、各色ごとに前記第１のＬＥＤと同じ特性を持つＬＥＤ組よりなり前記ＬＥＤ表示部とは別途に設けられる第２のＬＥＤを含むＬＥＤエージング表示部と、前記第１のＬＥＤの点灯時間と対応させて各色ごとに前記第２のＬＥＤの輝度低下率を測定する輝度測定部と、各色ごとに前記輝度測定部で測定された輝度低下率を記憶する輝度低下率記憶部とを有するＬＥＤエージング部と、前記点灯時間記憶部に記憶された各色ごとの前記第１のＬＥＤの累積点灯時間と、前記輝度低下率記憶部に記憶された各色ごとの前記輝度低下率とに基づいて、各色ごとに前記第１のＬＥＤの輝度を補正するための補正係数を演算する補正係数演算部と、前記補正係数演算部で演算された前記補正係数に基づいて各色ごとに前記第１のＬＥＤの輝度を補正する輝度補正部とを備えるものである。
【０００８】
本発明に係る映像表示装置は、ＬＥＤ表示装置を複数備え、前記複数のＬＥＤ表示装置の前記ＬＥＤ表示部を組み合わせて一の画面を構成するものである。
【発明の効果】
【０００９】
本発明によれば、ＬＥＤ表示装置は、ＬＥＤ表示部とは別途に設けられる第２のＬＥＤを含むＬＥＤエージング表示部を備え、補正係数演算部は、点灯時間記憶部に記憶された各色ごとの第１のＬＥＤの累積点灯時間と、輝度低下率記憶部に記憶された各色ごとの輝度低下率とに基づいて、各色ごとに第１のＬＥＤの輝度を補正するための補正係数を演算し、輝度補正部は、補正係数演算部で演算された補正係数に基づいて各色ごとに第１のＬＥＤの輝度を補正する。
【００１０】
したがって、装置の運用を停止させることなく、各色ごとの第１のＬＥＤの累積点灯時間と、第１のＬＥＤの点灯時間と対応させて測定した各色ごとの輝度低下率を用いることで精度の高い輝度補正が可能となり、個々の第１のＬＥＤの輝度特性のばらつきによる表示画面の見にくさを補償することが可能となる。
【図面の簡単な説明】
【００１１】
【図１】実施の形態１に係るＬＥＤ表示装置のブロック図である。
【図２】ＬＥＤ表示装置のＬＥＤ表示ユニットのブロック図である。
【図３】ＬＥＤ表示装置のＬＥＤエージング部のブロック図である。
【図４】ＬＥＤ表示装置のハードウェア構成図である。
【図５】ＬＥＤエージング表示部の点灯時間に対する緑色ＬＥＤの輝度低下率を示すグラフである。
【図６】ＬＥＤエージング表示部の点灯時間と輝度低下率との関係を示すグラフである。
【図７】ＬＥＤ表示装置の輝度補正方法を示すフローチャートである。
【図８】ＰＷＭ駆動の一例を示す図である。
【図９】ＬＥＤ表示装置の輝度補正方法を説明するためのグラフである。
【図１０】実施の形態１の変形例に係るＬＥＤ表示装置の輝度補正方法を説明するためのグラフである。
【図１１】実施の形態２に係るＬＥＤ表示装置の輝度補正方法を説明するためのグラフである。
【発明を実施するための形態】
【００１２】
＜実施の形態１＞
本発明の実施の形態１について、図面を用いて以下に説明する。図１は、実施の形態１に係るＬＥＤ表示装置１００のブロック図であり、図２は、ＬＥＤ表示装置１００のＬＥＤ表示ユニット１３のブロック図であり、図３は、ＬＥＤ表示装置１００のＬＥＤエージング部２０のブロック図である。
【００１３】
図１に示すように、ＬＥＤ表示装置１００は、複数（図には２×４＝８台を例示）のＬＥＤ表示ユニット１３、映像信号の入力端子２、映像信号処理回路３、輝度補正回路４（輝度補正部）、点灯時間記憶部６、補正係数演算部１２およびＬＥＤエージング部２０を備えている。ここで、映像信号処理回路３、補正係数演算部１２、輝度補正回路４および点灯時間記憶部６は制御部８を構成している。
【００１４】
最初に、ＬＥＤ表示ユニット１３について説明する。図２に示すように、ＬＥＤ表示ユニット１３は、各色ごとに同じ特性を持つＬＥＤ組よりなる複数のＬＥＤ１（第１のＬＥＤ）、画像を表示するＬＥＤ表示部１０、およびＬＥＤ表示部１０のＬＥＤ１を駆動する駆動部５を備えている。ここで、各色とは、例えば、赤色（Ｒ）、緑色（Ｇ）および青色（Ｂ）である。また、ＬＥＤ組として、図２において４×４＝１６組が例示され、ＬＥＤ組は、１組あたり赤（Ｒ）、緑（Ｇ）および青（Ｂ）３個のＬＥＤからなる。
【００１５】
図１に示すように、映像信号処理回路３は、入力端子２から入力される映像信号をＬＥＤ表示ユニット１３上に表示させるために、拡大縮小処理およびガンマ補正などの映像信号処理を行う。輝度補正回路４は、映像信号処理回路３の出力信号の輝度を補正する。点灯時間記憶部６は、ＬＥＤ表示部１０全体として各色ごとにＬＥＤ１の点灯時間を累積した累積点灯時間を記憶する。ここで、点灯時間記憶部６は、例えばＲＡＭなどの半導体メモリである。
【００１６】
輝度補正回路４が出力する映像信号は、ＬＥＤ表示ユニット１３およびＬＥＤエージング部２０に入力される。図２に示すように、ＬＥＤ表示ユニット１３は、輝度補正回路４の出力が後段のＬＥＤ表示ユニット１３およびＬＥＤエージング部２０にデイジーアウトされると同時に駆動部５に入力される。駆動部５は、入力される映像信号から表示に必要な領域を選択し、複数のＬＥＤ１で構成されたＬＥＤ表示部１０を駆動する。
【００１７】
次に、ＬＥＤエージング部２０について説明する。図３に示すように、ＬＥＤエージング部２０は、ＬＥＤエージング表示部２１、駆動部１５、駆動データ生成部７、輝度測定部９および輝度低下率記憶部１１を備えている。ＬＥＤエージング表示部２１は、各色ごとにＬＥＤ１と同じ特性を持つＬＥＤ組よりなるＬＥＤ２２（第２のＬＥＤ）を含んでいる。ここで、ＬＥＤ組として、図３において２×２＝４組が例示され、ＬＥＤ組は、１組あたり赤（Ｒ）、緑（Ｇ）および青（Ｂ）３個のＬＥＤからなる。
【００１８】
駆動データ生成部７は、駆動部１５に供給するための表示パターン（駆動データ）を生成する。駆動部１５は、駆動データ生成部７から供給された表示パターンでＬＥＤ２２を駆動する。輝度測定部９は、ＬＥＤ１の点灯時間と対応させて各色ごとにＬＥＤ２２の輝度低下率を測定し、測定された輝度低下率を輝度低下率記憶部１１に記憶させる。ここで、輝度低下率記憶部１１は、例えばＲＡＭなどの半導体メモリである。
【００１９】
補正係数演算部１２は、輝度低下率記憶部１１に記憶された各色ごとの輝度低下率と、点灯時間記憶部６に記憶された各色ごとのＬＥＤ１の累積点灯時間とに基づいて、各色ごとにＬＥＤ１の輝度を補正するための補正係数を演算する。輝度補正回路４は、補正係数演算部１２で演算された補正係数に基づいて各色ごとにＬＥＤ１の輝度を補正する。
【００２０】
点灯時間記憶部６に記憶される累積点灯時間は、各色ごとにＬＥＤ１が点灯した時間（点灯時間）の累積であり、ＬＥＤ１の点灯時間は一定の単位時間ごとに累積される。例えば、単位時間が１時間でデューティ比１０％の輝度の点灯であれば、１時間ごとに０．１時間の点灯時間が、点灯時間記憶部６に記憶されることになる。デューティ比による電流制御方法の動作説明については後述する。
【００２１】
次に、ＬＥＤ表示装置１００のハードウェア構成について説明する。図４は、ＬＥＤ表示装置１００のハードウェア構成図である。図４に示すように、ＬＥＤ表示装置１００は、プロセッサ３０とメモリ３１を備えている。なお、図４は、ＬＥＤ表示装置１００のソフトウェア機能を説明するための図であり、それ以外の構成は省略している。
【００２２】
ＬＥＤ表示装置１００において、補正係数演算部１２と駆動データ生成部７は、例えば図４のプロセッサ３０がメモリ３１等に記憶されたプログラムを実行することにより、当該プロセッサ３０の機能として実現される。ただし、これらは、例えば複数のプロセッサ３０が連携して実現されてもよい。
【００２３】
図５は、ＬＥＤエージング表示部２１の点灯時間に対する緑色ＬＥＤの輝度低下率を示すグラフである。図５に示すように、ＬＥＤの輝度は点灯時間の経過とともに低下することになる。通常、輝度低下率は事前の測定によって求められるが、本実施の形態では、輝度低下率を実時間で測定するように構成されている。すなわち、ＬＥＤ１の点灯時間と対応させて各色ごとにＬＥＤ２２の輝度低下率を測定している。以下、輝度低下率の測定方法について説明する。
【００２４】
駆動データ生成部７は、ＬＥＤエージング表示部２１に表示する表示パターンを生成し、駆動部１５は、駆動データ生成部７で生成される表示パターンに基づいてＬＥＤエージング表示部２１を駆動する。駆動データ生成部７で生成される表示パターンは、ＬＥＤ表示部１０で表示される最大デューティ比である。ＬＥＤ表示部１０の最大デューティ比が１００％であればＬＥＤエージング表示部２１の表示パターンもデューティ比１００％に設定すればよい。これにより、ＬＥＤ表示部１０のＬＥＤ１の中で最も点灯時間の長いＬＥＤと同じ点灯時間を確保することが可能となる。
【００２５】
ＬＥＤエージング表示部２１は、各色ごとにＬＥＤ１と同じ特性を持つＬＥＤ２２で構成されるが、複数のＬＥＤ２２で構成することにより、単品の場合と比較して平均を取ることでばらつきを抑えることが可能になる。次に、輝度測定部９は、ＬＥＤエージング表示部２１に対向した状態で配置され、ＬＥＤエージング表示部２１のＬＥＤ２２の輝度を各色ごとに測定する。輝度測定部９として、可視域の波長で計測可能なフォトダイオードなどを採用することができる。
【００２６】
図６は、ＬＥＤエージング表示部２１の点灯時間と輝度低下率との関係を示すグラフである。ＬＥＤ２２の各色の輝度低下率は、経過時間（点灯時間）ｔの関数としてそれぞれ、ｋｒ（ｔ），ｋｇ（ｔ），ｋｂ（ｔ）で示される。輝度測定部９の測定結果とＬＥＤエージング表示部２１の点灯時間とを輝度低下率記憶部１１に記憶させることで、点灯時間に対する各色の輝度低下率を実時間で測定することが可能となる。
【００２７】
次に、ＬＥＤ表示装置１００の輝度補正方法について詳細に説明する。図７は、ＬＥＤ表示装置１００の輝度補正方法を示すフローチャートである。図７のフローチャートの処理が開始されると、補正係数演算部１２は、輝度補正の単位時間、例えば１００時間を経過したか否かを判定する（ステップＳ１）。輝度補正の単位時間を経過していない場合（ステップＳ１においてＮＯ）、補正係数演算部１２は、再度ステップＳ１の判定を行う。輝度補正の単位時間を経過している場合（ステップＳ１においてＹＥＳ）、補正係数演算部１２は、点灯時間記憶部６を参照し、ＬＥＤ１の各色について最大累積点灯時間を検索する（ステップＳ２）。
【００２８】
次に、補正係数演算部１２は、輝度低下率記憶部１１を参照し、ステップＳ２で検索された最大累積点灯時間に対するＲ，Ｇ，Ｂ各色の３つの輝度低下率に基づいて最大輝度低下率を演算する（ステップＳ３）。
【００２９】
より具体的には、ＬＥＤ１の各色について最大累積点灯時間をそれぞれ、ｔｒｍａｘ，ｔｇｍａｘ，ｔｂｍａｘとすると、最大輝度低下率ｋｒｇｂ（ｔｍａｘ）は、輝度低下率関数ｋｒ（ｔ），ｋｇ（ｔ），ｋｂ（ｔ）を用いて式（１）で示される。
【００３０】
【数１】
2016218238.tif 000003
【００３１】
次に、補正係数演算部１２は、点灯時間記憶部６および輝度低下率記憶部１１を参照し、ＬＥＤ表示部１０の全てのＬＥＤ１について各色ごとの累積点灯時間に対する輝度低下率とステップＳ３で求めた最大輝度低下率ｋｒｇｂ（ｔｍａｘ）に基づいて、各色ごとにＬＥＤ１に対する補正係数を演算する（ステップＳ４）。
【００３２】
映像信号処理回路３の出力信号は輝度補正回路４に供給され、輝度補正回路４は、ステップＳ４で演算された補正係数に基づいて各色ごとにＬＥＤ１の輝度を補正する（ステップＳ５）。より具体的には、ＬＥＤ１の各色Ｒ，Ｇ，Ｂの現在の輝度をＲp，Ｇp，Ｂp、累積点灯時間ｔにおける各色の輝度低下率をｋｒ（ｔ），ｋｇ（ｔ），ｋｂ（ｔ）、最大輝度低下率をｋｒｇｂ（ｔｍａｘ）とすると、補正後のＬＥＤ１の各色Ｒ，Ｇ，Ｂの輝度Ｒｃｏｍｐ，Ｇｃｏｍｐ，Ｂｃｏｍｐは式（２）で示される。
【００３３】
【数２】
2016218238.tif 000004
【００３４】
式（２）におけるＬＥＤ１の各色Ｒ，Ｇ，Ｂの現在の輝度Ｒｐ、Ｇｐ、Ｂｐは、ＬＥＤ１の各色Ｒ，Ｇ，Ｂの初期輝度をＲ０，Ｇ０，Ｂ０とすると式（３）で示される。
【００３５】
【数３】
2016218238.tif 000005
【００３６】
式（３）を式（２）に代入すると、補正後のＬＥＤ１の各色Ｒ，Ｇ，Ｂの輝度Ｒｃｏｍｐ，Ｇｃｏｍｐ，Ｂｃｏｍｐは式（４）で示される。式（４）に示すように、Ｒｃｏｍｐ，Ｇｃｏｍｐ，Ｂｃｏｍｐは、ＬＥＤ１の各色Ｒ，Ｇ，Ｂの初期値に対し、最大輝度低下率で統一的に補正されたものとなる。
【００３７】
【数４】
2016218238.tif 000006
【００３８】
ＬＥＤ１の輝度調整では、ＰＷＭ（Ｐｕｌｓｅ  Ｗｉｄｔｈ  Ｍｏｄｕｌａｔｉｏｎ）方式が使用される。図８は、ＰＷＭ駆動の一例を示す図である。（ａ）はＰＷＭの基本周期であり、映像信号の１フレーム期間以下となる。（ｂ）はパルス幅のデューティ比が例えば８５％の場合を示し、（ｃ）はパルス幅のデューティ比が例えば８０％の場合を示している。このように、パルス幅のデューティ比を変えることでＬＥＤ１の輝度を調整することができる。ＬＥＤ１の輝度の補正においてもパルス幅のデューティ比を変化させることで輝度調整が可能である。
【００３９】
図９は、ＬＥＤ表示装置１００の輝度補正方法を説明するためのグラフである。図９に示すように、ＬＥＤ表示部１０のＬＥＤ１は点灯時間が最も長く最も輝度低下の大きい色の輝度低下率に統一され、表示全体として輝度均一性およびホワイトバランスを保つことができ、輝度ばらつきの改善されたものとなる。この輝度補正方式は初期の輝度を高くすることができるという利点がある。また、従来はＬＥＤ表示ユニットの輝度を輝度センサで常時測定する場合は輝度センサによりＬＥＤ表示ユニットの表示を遮る等の問題があった。しかし、本実施の形態によれば、ＬＥＤ２２の輝度はＬＥＤ表示ユニット１３の外部に配置されるＬＥＤエージング部２０で測定されるため、輝度センサによりＬＥＤ表示ユニット１３の表示を遮ることなく、常時ＬＥＤ２２の経時変化を検出することができる。
【００４０】
以上のように、実施の形態１に係るＬＥＤ表示装置１００は、ＬＥＤ表示部１０とは別途に設けられるＬＥＤ２２を含むＬＥＤエージング表示部２１を備え、補正係数演算部１２は、点灯時間記憶部６に記憶された各色ごとのＬＥＤ１の累積点灯時間と、輝度低下率記憶部１１に記憶された各色ごとの輝度低下率とに基づいて、各色ごとにＬＥＤ１の輝度を補正するための補正係数を演算し、輝度補正回路４は、補正係数演算部１２で演算された補正係数に基づいて各色ごとにＬＥＤ１の輝度を補正する。
【００４１】
したがって、装置の運用を停止させることなく、各色ごとのＬＥＤ１の累積点灯時間と、ＬＥＤ１の点灯時間と対応させて測定した各色ごとの輝度低下率を用いることで精度の高い輝度補正が可能となり、個々のＬＥＤ１の輝度特性のばらつきによる表示画面の見にくさを補償することが可能となる。これにより、ＬＥＤ表示部１０全体の輝度および色均一性を維持することが可能となる。
【００４２】
また、ＬＥＤエージング表示部２１のＬＥＤ２２の個数を増やすことで、個々のＬＥＤ２２のばらつきを抑えることができ、さらに高精度の輝度補正が可能となる。
【００４３】
また、点灯時間記憶部６および輝度低下率記憶部１１は、ＬＥＤ表示ユニット１３の外部に配置されるため、一部のＬＥＤ表示ユニット１３が故障等で交換が必要になった場合でも容易にＬＥＤ表示ユニット１３全体の輝度調整を行うことができる。
【００４４】
ＬＥＤエージング部２０は、ＬＥＤ２２を駆動する駆動部１５と、駆動部１５に供給される駆動データを生成する駆動データ生成部７とをさらに備えるため、実際の映像信号を用いることなく簡易的に、ＬＥＤ２２の輝度低下率を測定することができる。
【００４５】
補正係数演算部１２は、点灯時間記憶部６に記憶された累積点灯時間のうち最も累積点灯時間の長い色の輝度低下率に基づいて補正係数を演算するため、図９に示すように、ＬＥＤ表示部１０のＬＥＤ１は最も輝度低下の大きい色の輝度低下率に統一される。よって、全てのＬＥＤ１の輝度を合わせることが可能となり、ＬＥＤ表示部１０の輝度均一性を保つことが可能となる。
【００４６】
なお、本実施の形態では、ＬＥＤ表示部１０の各ＬＥＤ１を最も輝度低下の大きいＬＥＤの輝度低下率に統一するように輝度補正を行ったが、この方法に限定されることはない。図１０に示すように、初期輝度を最大輝度の例えば５０％程度として、補正係数演算部１２は、点灯時間記憶部６および輝度低下率記憶部１１を参照して各色ごとにＬＥＤ１の補正係数を演算し、輝度補正回路４は、初期輝度となるように輝度補正を行えば、輝度を一定に保つことも可能である。図１０は、実施の形態１の変形例に係るＬＥＤ表示装置１００の輝度補正方法を説明するためのグラフである。
【００４７】
ＬＥＤ１の各色Ｒ，Ｇ，Ｂの現在の輝度をそれぞれＲｐ，Ｇｐ，Ｂｐ、累積点灯時間ｔにおける各色の輝度低下率をｋｒ（ｔ），ｋｇ（ｔ），ｋｂ（ｔ）とすると、補正後のＬＥＤ１の各色Ｒ，Ｇ，Ｂの輝度Ｒｃｏｍｐ，Ｇｃｏｍｐ，Ｂｃｏｍｐは式（５）で示される。
【００４８】
【数５】
2016218238.tif 000007
【００４９】
式（３）を式（５）に代入すると補正後のＬＥＤ１の各色Ｒ，Ｇ，Ｂの輝度Ｒｃｏｍｐ，Ｇｃｏｍｐ，Ｂｃｏｍｐは式（６）で示される。式（６）に示されるように、補正後のＬＥＤ１の各色Ｒ，Ｇ，Ｂの輝度Ｒｃｏｍｐ，Ｇｃｏｍｐ，Ｂｃｏｍｐは、ＬＥＤ１の各色Ｒ，Ｇ，Ｂの初期値に補正されたものとなる。ここで、初期輝度（初期値）とは、点灯開始時に設定されるＬＥＤ１の輝度である。
【００５０】
【数６】
2016218238.tif 000008
【００５１】
点灯開始時におけるＬＥＤ１の輝度は初期値に設定され、輝度補正回路４は、ＬＥＤ１の輝度が初期値になるようにＬＥＤ１の輝度を補正するため、ＬＥＤ１の初期輝度は低くなるものの、ＬＥＤ表示部１０の輝度均一性を保つことが可能となる。
【００５２】
また、本実施の形態では、映像信号処理回路３の出力に対してＬＥＤ１の輝度補正を行ったが、最終的にはＬＥＤ１の駆動信号（駆動データ）のデューティ比または駆動電流を補正すれば良く、輝度を補正する位置が映像信号処理回路３の出力に限定されるものではない。
【００５３】
また、本実施の形態では、ＬＥＤエージング表示部２１のＬＥＤ２２は、各色ごとにＬＥＤ表示部１０のＬＥＤ１と同じ特性を持つと説明したが、ＬＥＤはロットによって輝度および波長のバラツキが変化する。一般にＬＥＤには、輝度および波長などで分類されたＢＩＮコードが付されている。ＬＥＤ表示部１０のＬＥＤ１とＬＥＤエージング表示部２１のＬＥＤ２２は、製造ロットおよびＢＩＮコードを一致させることで、輝度低下率の精度がさらに向上する。
【００５４】
本実施の形態では、制御部８を構成する映像信号処理回路３、補正係数演算部１２、輝度補正回路４および点灯時間記憶部６と、ＬＥＤエージング部２０をＬＥＤ表示ユニット１３の外部に配置することで、既存の機種に採用することが可能となるメリットがある。なお、制御部８は、予めＬＥＤ表示ユニット１３内に配置することも可能である。
【００５５】
また、ＬＥＤ表示装置１００を複数組み合わせて映像表示装置を構成することも可能である。具体的には、複数のＬＥＤ表示装置１００のＬＥＤ表示部１０を組み合わせて一の画面を構成する。これにより、大画面化を図ることができ、屋外および屋内の広告表示等に使用することが可能となる。
【００５６】
＜実施の形態２＞
次に、実施の形態２に係るＬＥＤ表示装置について説明する。図１１は、実施の形態２に係るＬＥＤ表示装置１００の輝度補正方法を説明するためのグラフである。なお、実施の形態２において、実施の形態１で説明したものと同一の構成要素については同一符号を付して説明は省略する。
【００５７】
図１１に示すように、それぞれのＬＥＤ１は点灯率によって輝度低下率が異なる。実施の形態１では、ＬＥＤ表示部１０のＬＥＤ１の最大デューティ比とＬＥＤエージング表示部２１のＬＥＤ２２の最大デューティ比を同じにしたが、ＬＥＤの駆動デューティ比によっても輝度低下率が変化する。本実施の形態では、駆動データ生成部７は、複数の点灯時間となるように複数のデューティ比を有する駆動データを生成し、ＬＥＤ２２は、複数のデューティ比を有する駆動データで駆動される。
【００５８】
したがって、実際の駆動時間に一層近い条件で輝度低下率を測定することができるため、極めて高精度の輝度補正が可能となる。
【００５９】
＜その他の変形例＞
以上の説明では、補正係数演算部１２と駆動データ生成部７は、プロセッサ３０がメモリ３１等に記憶されたプログラムを実行することにより、当該プロセッサ３０の機能として実現された。しかしこれに代えて、補正係数演算部１２と駆動データ生成部７は、当該動作をハードウェアの電気回路で実現する信号処理回路によって実現されてもよい。ソフトウェアの補正係数演算部１２と駆動データ生成部７と、ハードウェアの補正係数演算部１２と駆動データ生成部７とを合わせた概念として、「部」という語に代えて「処理回路」という語を用いることもできる。
【００６０】
なお、本発明は、その発明の範囲内において、各実施の形態を自由に組み合わせたり、各実施の形態を適宜、変形、省略することが可能である。
【符号の説明】
【００６１】
１  ＬＥＤ、４  輝度補正回路、６  点灯時間記憶部、７  駆動データ生成部、９  輝度測定部、１０  ＬＥＤ表示部、１１  輝度低下率記憶部、１２  補正係数演算部、１３  ＬＥＤ表示ユニット、１５  駆動部、２０  ＬＥＤエージング部、２１  ＬＥＤエージング表示部、２２  ＬＥＤ、１００  ＬＥＤ表示装置。
【図１】
2016218238.tif 000009
【図２】
2016218238.tif 000010
【図３】
2016218238.tif 000011
【図４】
2016218238.tif 000012
【図５】
2016218238.tif 000013
【図６】
2016218238.tif 000014
【図７】
2016218238.tif 000015
【図８】
2016218238.tif 000016
【図９】
2016218238.tif 000017
【図１０】
2016218238.tif 000018
【図１１】
2016218238.tif 000019